(57)【要約】【課題】支承の設置又は交換に際して上部構造物のジャッキ等による持上げを極力少なくし得、支承の設置又は交換における上部構造物での好ましくない歪の発現を極力避けることができる支承の固定構造を提供すること。【解決手段】固定構造１は、基礎２の水平方向Ｈの変位の上部躯体３への伝達を抑制するべく、上部躯体３と基礎２との間に配されている積層ゴム装置４における当該積層ゴム装置４を上部躯体３と基礎２とに固定するための下取付板６を、基礎２に設置されている下側アンカーボルト７の夫々における基礎２の上面８から上方に突出した下側雄螺子部９に、当該下側雄螺子部９に螺合した固定部材１０を介して固定しており、上取付板５を、上部躯体３に設置されている上側アンカーボルト１１の夫々における上部躯体３の下面１２から下方に突出した上側雄螺子部１３に、当該上側雄螺子部１３に螺合した固定部材１４を介して固定している。【選択図】図１
2019039516.tif 000002
【特許請求の範囲】
【請求項１】
上部構造物と下部構造物との間に配されている支承における当該支承を上部構造物と下部構造物とに固定するための上取付板及び下取付板のうちの下取付板を、下部構造物に設置されている下側アンカーボルトにおける下部構造物の上面から上方に突出した下側雄螺子部に、当該下側雄螺子部に螺合した固定部材を介して固定した支承の下取付板での下部構造物に対する固定構造であって、下取付板は、下側雄螺子部を受容した貫通孔を有しており、固定部材は、下側雄螺子部の雄螺子に螺合した雌螺子を有すると共に貫通孔において当該下側雄螺子部を囲繞した雌螺子部と、この雌螺子部に一体的に設けられていると共に貫通孔の周りの下取付板の上面に押圧力を付与する環状面を有した鍔部とを具備している支承の固定構造。
【請求項２】
下取付板は、下側雄螺子部を受容した貫通孔を規定する内周面を有しており、雌螺子部は、その円筒状の外周面で貫通孔を規定する円筒状の内周面に対して隙間をもって貫通孔に配されている請求項１に記載の支承の固定構造。
【請求項３】
下取付板は、下側雄螺子部を受容した貫通孔を規定する内周面を有しており、雌螺子部は、その円筒状の外周面で貫通孔を規定する円筒状の内周面に接触して貫通孔に配されている請求項１に記載の支承の固定構造。
【請求項４】
下側雄螺子部は、当該下側雄螺子部の径の０．８倍以上の長さをもって下部構造物の上面から上方に突出している請求項１から３のいずれか一項に記載の支承の固定構造。
【請求項５】
雌螺子部は、下部構造物の上面に向かって開口されていると共に下側雄螺子部を受容した凹所を具備しており、凹所の天井面は、凹所の開口面に対面した雌螺子部の面で規定されており、凹所の天井面を規定する雌螺子部の面と下側雄螺子部の上端面とは、隙間をもって対面している請求項１から４のいずれか一項に記載の支承の固定構造。
【請求項６】
鍔部は、固定用の回転力を受容する面を具備している請求項１から５のいずれか一項に記載の支承の固定構造。
【請求項７】
上部構造物と下部構造物との間に配されている支承における当該支承を上部構造物と下部構造物とに固定するための上取付板及び下取付板のうちの上取付板を、上部構造物に設置されている上側アンカーボルトにおける上部構造物の下面から下方に突出した上側雄螺子部に、当該上側雄螺子部に螺合した固定部材を介して固定した支承の上取付板での上部構造物に対する固定構造であって、上取付板は、上側雄螺子部を受容した貫通孔を有しており、固定部材は、上側雄螺子部の雄螺子に螺合した雌螺子を有すると共に貫通孔において当該上側雄螺子部を囲繞した雌螺子部と、この雌螺子部に一体的に設けられていると共に貫通孔の周りの上取付板の下面に凹圧力を付与する環状面を有した鍔部とを具備している支承の固定構造。
【請求項８】
上取付板は、上側雄螺子部を受容した貫通孔を規定する内周面を有しており、雌螺子部は、その円筒状の外周面で貫通孔を規定する円筒状の内周面に対して隙間をもって貫通孔に配されている請求項７に記載の支承の固定構造。
【請求項９】
上取付板は、上側雄螺子部を受容した貫通孔を規定する内周面を有しており、雌螺子部は、その円筒状の外周面で貫通孔を規定する円筒状の内周面に接触して貫通孔に配されている請求項７に記載の支承の固定構造。
【請求項１０】
上側雄螺子部は、当該上側雄螺子部の径の０．８倍以上の長さをもって上部構造物の下面から下方に突出している請求項７から９のいずれか一項に記載の支承の固定構造。
【請求項１１】
雌螺子部は、上部構造物の下面に向かって開口されていると共に上側雄螺子部を受容した凹所を具備しており、凹所の底面は、凹所の開口面に対面した雌螺子部の面で規定されており、凹所の底面を規定する雌螺子部の面と上側雄螺子部の下端面とは、隙間をもって対面している請求項７から１０のいずれか一項に記載の支承の固定構造。
【請求項１２】
鍔部は、固定用の回転力を受容する面を具備している請求項７から１１のいずれか一項に記載の支承の固定構造。
【発明の詳細な説明】
【技術分野】
【０００１】
本発明は、上部構造物及び下部構造物への支承の固定構造に関する。
【背景技術】
【０００２】
交互に積層された弾性層及び剛性層を有する積層体と、この積層体の上端面及び下端面に固定された上取付板及び下取付板とを具備して上部構造物を免震支持する免震支承は、一つの支承の例として知られている。
【０００３】
斯かる免震支承装置は、上部構造物と下部構造物との間に配されて、その上取付板を介して上部構造物に、その下取付板を介して下部構造物に夫々固定されており、地震に起因する下部構造物の水平方向の変位の上部構造物への伝達を積層体の弾性変形（剪断変形）で抑制するようになっている。
【先行技術文献】
【特許文献】
【０００４】
【特許文献１】特開２０００−６５１３６号公報
【特許文献２】特開２００３−２９４０８２号公報
【発明の概要】
【発明が解決しようとする課題】
【０００５】
ところで、この種の免震支承において、上部構造物及び下部構造物への夫々の固定は、免震支承の上取付板及び下取付板の貫通孔を上部構造物及び下部構造物の夫々に設置されたアンカーボルトの雄螺子部に位置せしめ、上取付板及び下取付板から突出する雄螺子部にナットを螺合せしめて、当該上取付板及び下取付板を当該ナットにより上部構造物及び下部構造物の夫々に締め付けて行われているが、斯かる固定構造では、免震支承の交換において、上部構造物及び下部構造物から突出する雄螺子部の長さ以上に上部構造物をジャッキ等により持上げないと、上部構造物及び下部構造物間からの免震支持装置の取り出し、新たな免震支承の配置が困難であって、上部構造物に好ましくない歪を与える虞が有る一方、上部構造物に好ましくない歪を与える場合には、雄螺子部を切断せざる得なくなる。
【０００６】
斯かる問題は、積層体を具備した免震支承に限らず、上部構造物と下部構造物との間に配される、例えば、上沓と下沓との間に滑り部材又は転がり部材を配した免震支承等の支承でも生じ得る。
【０００７】
本発明は、前記諸点に鑑みてなされたものであり、その目的とするところは、支承の設置又は交換に際して上部構造物のジャッキ等による持上げを極力少なくし得、支承の設置又は交換における上部構造物での好ましくない歪の発現を極力避けることができる支承の固定構造を提供することにある。
【課題を解決するための手段】
【０００８】
本発明は、上部構造物と下部構造物との間に配されている支承における当該支承を上部構造物と下部構造物とに固定するための上取付板及び下取付板のうちの下取付板を、下部構造物に設置されている下側アンカーボルトにおける下部構造物の上面から上方に突出した下側雄螺子部に、当該下側雄螺子部に螺合した固定部材を介して固定した支承の下取付板での下部構造物に対する固定構造であって、下取付板は、下側雄螺子部を受容した貫通孔を有しており、固定部材は、下側雄螺子部の雄螺子に螺合した雌螺子を有すると共に貫通孔において当該下側雄螺子部を囲繞した雌螺子部と、この雌螺子部に一体的に設けられていると共に貫通孔の周りの下取付板の上面に押圧力を付与する環状面を有した鍔部とを具備している。
【０００９】
斯かる本発明によれば、下側雄螺子部を貫通孔で終端させることができる結果、下側雄螺子部の下部構造物の上面からの上方への突出量を少なくでき、而して、支承の設置又は交換に際して下側雄螺子部を回避するための上部構造物のジャッキ等による持上げを極力少なくし得、支承の設置又は交換における上部構造物での好ましくない歪の発現を極力避けることができる一方、下側雄螺子部の切断等の大掛かりな作業を回避し得る。
【００１０】
本発明は、また、上部構造物と下部構造物との間に配されている支承における当該支承を上部構造物と下部構造物とに固定するための上取付板及び下取付板のうちの上取付板を、上部構造物に設置されている上側アンカーボルトにおける上部構造物の下面から下方に突出した上側雄螺子部に、当該上側雄螺子部に螺合した固定部材を介して固定した支承の上取付板での上部構造物に対する固定構造であって、上取付板は、上側雄螺子部を受容した貫通孔を有しており、固定部材は、上側雄螺子部の雄螺子に螺合した雌螺子を有すると共に貫通孔において当該上側雄螺子部を囲繞した雌螺子部と、この雌螺子部に一体的に設けられていると共に貫通孔の周りの上取付板の下面に凹圧力を付与する環状面を有した鍔部とを具備している。
【００１１】
斯かる本発明によっても、上側雄螺子部を貫通孔で終端させることができる結果、上側雄螺子部の上部構造物の下面からの下方への突出量を少なくでき、而して、支承支承の設置又は交換に際して上側雄螺子部を回避するための上部構造物のジャッキ等による持上げを極力少なくし得、支承の設置又は交換における上部構造物での好ましくない歪の発現を極力避けることができる一方、上側雄螺子部の切断等の大掛かりな作業を回避し得る。
【００１２】
本発明は、以上のように、上取付板での支承の固定構造であってもよく、これに代えて、下取付板での支承の固定構造であってもよいのであるが、支承の上取付板及び下取付板の両方に対して本発明の支承の固定構造が採用されていると、本発明による効果を二重に得られて好ましい。
【００１３】
本発明では、下取付板は、下側雄螺子部を受容した貫通孔を規定する内周面を有しており、斯かる下取付板に関して、雌螺子部は、その円筒状の外周面で貫通孔を規定する円筒状の内周面に対して隙間をもって貫通孔に配されていても、その円筒状の外周面で貫通孔を規定する円筒状の内周面に接触して貫通孔に配されていてもよく、同様に、上取付板は、上側雄螺子部を受容した貫通孔を規定する内周面を有しており、斯かる上取付板に関して、雌螺子部は、その円筒状の外周面で貫通孔を規定する円筒状の内周面に対して隙間をもって貫通孔に配されていても、その円筒状の外周面で貫通孔を規定する円筒状の内周面に接触して貫通孔に配されていてもよい。
【００１４】
下取付板に関しての雌螺子部がその円筒状の外周面で下取付板の貫通孔を規定する円筒状の内周面に接触して貫通孔に配されている場合及び上取付板に関しての雌螺子部がその円筒状の外周面で上取付板の貫通孔を規定する円筒状の内周面に接触して貫通孔に配されている場合には、対応の固定部材による下取付板又は上取付板の締め付けが緩んでも、下取付板の下部構造物に対する水平方向の変位又は上取付板の上部構造物に対する水平方向の変位を阻止でき、フェールセーフな支承の固定構造を提供できる。
【００１５】
本発明の好ましい例では、下側雄螺子部は、当該下側雄螺子部の径の０．８倍以上の長さをもって下部構造物の上面から上方に突出しており、上側雄螺子部は、当該上側雄螺子部の径の０．８倍以上の長さをもって上部構造物の下面から下方に突出している。
【００１６】
下取付板での支承の固定構造に係る本発明の他の好ましい例では、雌螺子部は、下部構造物の上面に向かって開口されていると共に下側雄螺子部を受容した凹所を具備しており、凹所の天井面は、凹所の開口面に対面した当該雌螺子部の面で規定されており、凹所の天井面を規定する雌螺子部の面と下側雄螺子部の上端面とは、隙間をもって対面しており、鍔部は、固定用の回転力を受容する面を具備しており、上取付板での支承の固定構造に係る本発明の他の好ましい例では、雌螺子部は、上部構造物の下面に向かって開口されていると共に上側雄螺子部を受容した凹所を具備しており、凹所の底面は、凹所の開口面に対面した雌螺子部の面で規定されており、凹所の底面を規定する雌螺子部の面と上側雄螺子部の下端面とは、隙間をもって対面しており、鍔部は、固定用の回転力を受容する面を具備している。
【００１７】
本発明において、下部構造物は、高速道路等の道路橋を含む橋の橋台若しくは橋脚又は一般の事業用の建物、集合住宅若しくは戸建住宅の基礎若しくは下部躯体等を含み、上部構造物は、高速道路等の道路橋を含む橋の橋桁又は一般の事業用の建物、集合住宅若しくは戸建住宅の上部躯体等を含む。
【００１８】
本発明において、支承としては、積層ゴムを用いた積層ゴム支承及び上沓と下沓との間に滑り部材又は転がり部材を配した滑り又は転がり支承を一例として提示し得るが、これらに限定されないで、その他の支承であってもよい。
【００１９】
本発明において、上取付板及び下取付板は、円形若しくは楕円形の外縁を有していても、これに代えて、矩形若しくは方形の外縁を有していてもよい。
【発明の効果】
【００２０】
本発明によれば、支承の設置又は交換に際して上部構造物のジャッキ等による持上げを極力少なくし得、支承の設置又は交換における上部構造物での好ましくない歪の発現を極力避けることができる支承の固定構造を提供することができる。
【図面の簡単な説明】
【００２１】
【図１】図１は、本発明の好ましい実施の形態の一具体例の一部破断説明図である。
【図２】図２は、図１の例における上取付板の平面説明図である。
【図３】図３は、図１の例における下取付板側の一部の拡大断面説明図である。
【図４】図４は、図３に示すＩＶ−ＩＶ線矢視断面説明図である。
【図５】図５は、図１の例における下側の固定部材の斜視説明図である。
【図６】図６は、図１の例における下取付板の平面説明図である。
【図７】図７は、図１の例における上取付板側の一部の拡大断面説明図である。
【図８】図８は、図１の例における上側の固定部材の斜視説明図である。
【発明を実施するための形態】
【００２２】
次に本発明の実施の形態を図に示す好ましい具体例に基づいて詳細に説明する。なお、本発明はこれらの例に何等限定されないのである。
【００２３】
図１から図８において、本例の固定構造１は、下部構造物としての例えばコンクリート製の基礎２の水平方向Ｈの変位の上部構造物としての例えば事業用の建物の上部躯体３への伝達を抑制するべく、上部躯体３と基礎２との間に配されている支承としての積層ゴム装置４における当該積層ゴム装置４を上部躯体３と基礎２とに固定するための上取付板５及び下取付板６のうちの下取付板６を、基礎２に設置されている複数の下側アンカーボルト７の夫々における基礎２の上面８から上方に突出した下側雄螺子部９に、当該下側雄螺子部９に螺合した固定部材１０を介して固定しており、当該上取付板５及び下取付板６のうちの上取付板５を、上部躯体３に設置されている複数の上側アンカーボルト１１の夫々における上部躯体３の下面１２から下方に突出した上側雄螺子部１３に、当該上側雄螺子部１３に螺合した固定部材１４を介して固定している。
【００２４】
積層ゴム装置４は、円板状の上取付板５及び下取付板６に加えて、円形の上端面２１が上取付板５の円形の下面２２に加硫接着等により固着されている一方、円形の下端面２３が下取付板６の円形の上面２４に加硫接着等により固着されている積層体２５を具備している。
【００２５】
積層体２５は、複数の弾性層としての複数枚の円板状のゴム板３１と、複数の剛性層としての複数枚の円板状の鋼板３２と、ゴム板３１及び鋼板３２の外周面３３及び３４を覆っていると共に当該外周面３３及び３４に加硫接着された円筒状のゴム被覆３５とを具備しており、複数枚のゴム板３１と複数枚の鋼板３２とは、上取付板５から下取付板６に向かって、換言すれば、鉛直方向Ｖに交互に積層されている。
【００２６】
下面２２に加えて円形の上面４１及び円筒状の側面４２を有した厚みｔ２の上取付板５は、複数の上側雄螺子部１３の夫々を受容していると共に円周方向Ｒに等間隔に配列された複数の円柱状の貫通孔４３と、複数の貫通孔４３の夫々を規定する円筒状の内周面４４とを有しており、その上面４１で上部躯体３の下面１２に接触して、上側雄螺子部１３及び当該上側雄螺子部１３に螺合した固定部材１４を介して上部躯体３に固定されている。
【００２７】
上面２４に加えて円形の下面５１及び円筒状の側面５２を有した厚みｔ１の下取付板６は、複数の下側雄螺子部９の夫々を受容していると共に円周方向Ｒに等間隔に配列された複数の円柱状の貫通孔５３と、複数の貫通孔５３の夫々を規定する円筒状の内周面５４とを有しており、その下面５１で基礎２の上面８に接触して、下側雄螺子部９及び当該下側雄螺子部９に螺合した固定部材１０を介して基礎２に固定されている。
【００２８】
複数の下側アンカーボルト７の夫々は、雄螺子６１を有した円柱状の下側雄螺子部９に加えて、下側雄螺子部９に一体であって基礎２に埋め込まれている円柱状の下側アンカーボルト基部６２を有しており、下側雄螺子部９は、当該下側雄螺子部９の径Ｄ１、換言すれば、下側アンカーボルト基部６２の径Ｄ１の０．８倍以上の長さＬ１（＜ｔ１）をもって基礎２の上面８から突出している。
【００２９】
固定部材１０は、下側雄螺子部９の雄螺子６１に螺合した雌螺子６５を有すると共に貫通孔５３において当該下側雄螺子部９を囲繞した円筒状の雌螺子部６６と、雌螺子部６６に一体的に設けられていると共に貫通孔５３の周りの下取付板６の上面２４に接触して当該上面２４に雄螺子６１と雌螺子６５との螺合によって生じる押圧力（締め付け力）を付与する六角形の環状面６７を有した鍔部６８とを具備しており、雌螺子部６６は、基礎２の上面８に向かって開口されていると共に下側雄螺子部９を受容した円柱状の凹所６９と、基礎２の上面８に円環状の隙間７０をもって対峙した円環状の端面７１と、雌螺子６５が形成された円筒状の内周面７２と、内周面７２と協働して凹所６９を規定すると共に凹所６９の開口面に対面した凹所６９の天井面７３を規定する円形面７４と、円筒状の外周面７５とを具備しており、鍔部６８は、固定用の回転力を受容する面としての六個の矩形面からなる外周面７６と、六角形の端面７７とを具備しており、凹所６９の天井面７３を規定する雌螺子部６６の面である円形面７４と下側雄螺子部９の円形の上端面７８とは、円柱状の隙間７９をもって対面しており、雌螺子部６６は、その円筒状の外周面７５で貫通孔５３を規定する円筒状の内周面５４に対して円筒状の隙間８０をもって貫通孔５３に配されており、而して、固定部材１０は、鍔部６８による上面２４への押圧力の付与で、基礎２の上面８に下取付板６を固定するようになっている。
【００３０】
複数の上側アンカーボルト１１の夫々は、下側アンカーボルト７と同様に、雄螺子９１を有した円柱状の上側雄螺子部１３に加えて、上側雄螺子部１３に一体であって上部躯体３に埋め込まれている円柱状の上側アンカーボルト基部９２を有しており、上側雄螺子部１３は、当該上側雄螺子部１３の径Ｄ２、換言すれば、上側アンカーボルト基部９２の径Ｄ２の０．８倍以上の長さＬ２（＜ｔ２）をもって上部躯体３の下面１２から突出している。
【００３１】
固定部材１４は、固定部材１０と同様に、上側雄螺子部１３の雄螺子９１に螺合した雌螺子９５を有すると共に貫通孔４３において当該上側雄螺子部１３を囲繞した円筒状の雌螺子部９６と、雌螺子部９６に一体的に設けられていると共に貫通孔４３の周りの上取付板５の下面２２に接触して当該下面２２に雄螺子９１と雌螺子９５との螺合によって生じる押圧力（締め付け力）を付与する六角形の環状面９７を有した鍔部９８とを具備しており、雌螺子部９６は、上部躯体３の下面１２に向かって開口されていると共に上側雄螺子部１３を受容した円柱状の凹所９９と、上部躯体３の下面１２に円環状の隙間１００をもって対峙した円環状の端面１０１と、雌螺子９５が形成された円筒状の内周面１０２と、内周面１０２と協働して凹所９９を規定すると共に凹所９９の開口面に対面した凹所９９の底面１０３を規定する円形面１０４と、円筒状の外周面１０５とを具備しており、鍔部９８は、固定用の回転力を受容する面としての六個の矩形面からなる外周面１０６と、六角形の端面１０７とを具備しており、凹所９９の底面１０３を規定する雌螺子部９６の面である円形面１０４と上側雄螺子部１３の円形の下端面１０８とは、円柱状の隙間１０９をもって対面しており、雌螺子部９６は、その円筒状の外周面１０５で貫通孔４３を規定する円筒状の内周面４４に対して円筒状の隙間１１０をもって貫通孔４３に配されており、而して、固定部材１４は、鍔部９８による下面２２への押圧力の付与で、上部躯体３の下面１２に上取付板５を固定するようになっている。
【００３２】
以上の固定構造１により下取付板６で基礎２に、上取付板５で上部躯体３に夫々固定されて基礎２と上部躯体３との間に配されている積層ゴム装置４は、地震等で上部躯体３に対し水平方向Ｈに基礎２が変位（振動）すると、積層体２５が水平方向Ｈに関して剪断変形され、この剪断変形で上部躯体３への当該基礎２の変位（振動）の伝達を抑制するようになっている。
【００３３】
そして、固定構造１によれば、固定部材１０が雄螺子６１に螺合した雌螺子部６６を有しているために、下側雄螺子部９を貫通孔５３で終端させることができる結果、換言すれば、基礎２の上面８から突出する下側雄螺子部９の長さＬ１を下取付板６の厚みｔ１よりも小さくできる結果、下側雄螺子部９の基礎２の上面８からの上方への突出量を少なくでき、而して、鍔部６８の外周面７６に円周方向Ｒの回転力を付与して鍔部６８を介して雌螺子部６６を同じく円周方向Ｒに回転させ、雄螺子６１と雌螺子６５との螺合を解除して固定部材１０を除去し、積層ゴム装置４を水平方向Ｈに移動させ、既存の積層ゴム装置４の交換に際しての上部躯体３と基礎２との間からの水平方向Ｈへの積層ゴム装置４の除去で、上部躯体３のジャッキ等による持上げを、極力少なくし得、斯かる除去における上部躯体３での好ましくない歪の発現を極力避けることができる一方、下側雄螺子部９の切断等の大掛かりな作業を回避し得、加えて、固定部材１４が雄螺子９１に螺合した雌螺子部９６を有しているために、上側雄螺子部１３を貫通孔４３で終端させることができる結果、換言すれば、上部躯体３の下面１２から突出する上側雄螺子部１３の長さＬ２を上取付板５の厚みｔ２よりも小さくできる結果、上下側雄螺子部１３の上部躯体３の下面１２からの下方への突出量を少なくでき、而して、鍔部９８の外周面１０６に円周方向Ｒの回転力を付与して鍔部９８を介して雌螺子部９６を同じく円周方向Ｒに回転させ、雄螺子９１と雌螺子９５との螺合を解除して固定部材１４を除去し、積層ゴム装置４を水平方向Ｈに移動させ、既存の積層ゴム装置４の交換に際しての上部躯体３と基礎２との間からの水平方向Ｈへの積層ゴム装置４の除去で、上部躯体３のジャッキ等による持上げを、極力少なくし得、斯かる除去における上部躯体３での好ましくない歪の発現を極力避けることができる一方、上側雄螺子部１３の切断等の大掛かりな作業を回避し得、結局、上部躯体３のジャッキ等による（ｔ１＋ｔ２）よりも小さく（Ｌ１＋Ｌ２）を超える量の持上げで既存の積層ゴム装置４の交換を行い得る。
【００３４】
固定用の回転力を受容する面は、六個の矩形面からなる外周面７６及び外周面１０６に代えて、端面７７及び１０７の夫々に形成された六角凹所を規定する内周面であってもよい。
【符号の説明】
【００３５】
１  固定構造
２  基礎
３  上部躯体
４  積層ゴム装置
５  上取付板
６  下取付板
７  下側アンカーボルト
８  上面
９  下側雄螺子部
１０、１４  固定部材
１１  上側アンカーボルト
１２  下面
１３  上側雄螺子部
【図１】
2019039516.tif 000003
【図２】
2019039516.tif 000004
【図３】
2019039516.tif 000005
【図４】
2019039516.tif 000006
【図５】
2019039516.tif 000007
【図６】
2019039516.tif 000008
【図７】
2019039516.tif 000009
【図８】
2019039516.tif 000010